(57)【特許請求の範囲】
【請求項１】
複数台のかごの運行が制御され、乗り場呼びが登録されると前記かごのいずれかの割り当てを行い、前記乗り場において前記かごの予約案内を行う群管理エレベーターにおいて、
前記予約案内として、前記乗り場において複数台の前記かごの予約案内を行う到着順モード、到着予定エレ点灯モード、乗り場呼び応答可能モード、及び到着予定、最先着の一台の前記かごの予約案内を行う標準モード、のいずれかを設定するモード設定手段と、
前記乗り場呼びが登録された場合、前記かごの前記乗り場に対する到着順を判定し、到着順位が高いものから予め定めた台数の前記かごの予約案内を行う前記到着順モード、
前記乗り場呼びが登録された場合、前記乗り場へ向かって移動している前記かごの予約案内を行う前記到着予定エレ点灯モードと、
前記乗り場に応答可能な前記かごの予約案内を行う前記乗り場呼び応答可能モードと、
を備えたことを特徴とする群管理エレベーター。
【請求項２】
請求項１に記載の群管理エレベーターにおいて、前記予め定めた台数は、前記かごの運行台数が多いほど多くすることを特徴とする群管理エレベーター。
【請求項３】
請求項１に記載の群管理エレベーターにおいて、前記乗り場呼びが登録された場合、前記乗り場に応答可能な前記かごの予約案内として表示用のランタンを点灯することを特徴とする群管理エレベーター。
【請求項４】
請求項１に記載の群管理エレベーターにおいて、前記乗り場呼びが登録された場合、前記乗り場に応答可能な前記かごの予約案内としてチャイムを鳴動することを特徴とする群管理エレベーター。
【発明の詳細な説明】
【技術分野】
【０００１】
本発明は、予約された乗りかごを案内する群管理エレベーターに関し、特に、乗り場呼びでかごの割り当てを行い、ホールランタンの点灯やチャイムを鳴動させて利用客に予約案内するものに好適である。
【背景技術】
【０００２】
従来の群管理エレベーターでは、通常、乗り場呼びボタンを押すと１台の予約案内を行っている。また、２人目以降の待ち客に不安感を抱かせることを無くすために、乗場行先ボタンにより新たな行先階が指定されたとき、他の行先階が指定されていても報知器を再度動作させることが知られ、例えば特許文献１に記載されている。
【０００３】
さらに、割当変更された乗場行先呼びと新たな割当かごを容易に特定するため、乗り場呼びボタンが押され、一旦かごが割り当てられた後に変更された場合、表示手段の表示形態を変えることが知られ、例えば特許文献２に記載されている。
【先行技術文献】
【特許文献】
【０００４】
【特許文献１】特開昭６１−２８２２７９号公報
【特許文献２】特開２００３−１２２４９号公報
【発明の概要】
【発明が解決しようとする課題】
【０００５】
上記従来技術において、特許文献１に記載のものでは、再度報知することにより利用客が登録されたことを確認できるだけなので、割り当て変更が多発するような状況、例えば、出勤時や昼食時の基準階で利用客が多く、エレベーターの前で待つことなく、エレベーターホール入り口まで戻り、一列になって待っている状況の場合、エレベーターが応答しているのか利用客が分からないため、余計な不安感を与えることになる。特許文献２に記載のものでも同様であり、即時予約案内を無効とすれば、利用客は、確認すらできず、より一層不安となる。
【０００６】
本発明の目的は、上記従来技術の課題を解決し、利用客が多く、割り当て変更が多発するような状況においても、利用客へ不安感を与えずに、エレベーターの応答を知らせ、利用客を到着するエレベーターへ効率よく誘導することにある。
【課題を解決するための手段】
【０００７】
上記目的を達成するため、本発明は、複数台のかごの運行が制御され、乗り場呼びが登録されると前記かごのいずれかの割り当てを行い、前記乗り場において前記かごの予約案内を行う群管理エレベーターにおいて、前記予約案内として、前記乗り場において複数台の前記かごの予約案内を行う到着順モード、到着予定エレ点灯モード、乗り場呼び応答可能モード、及び到着予定、最先着の一台の前記かごの予約案内を行う標準モード、のいずれかを設定するモード設定手段と、前記乗り場呼びが登録された場合、前記かごの前記乗り場に対する到着順を判定し、到着順位が高いものから予め定めた台数の前記かごの予約案内を行う前記到着順モード、前記乗り場呼びが登録された場合、前記乗り場へ向かって移動している前記かごの予約案内を行う前記到着予定エレ点灯モードと、前記乗り場に応答可能な前記かごの予約案内を行う前記乗り場呼び応答可能モードと、を備えたものである。
【発明の効果】
【０００８】
本発明によれば、予約案内として、乗り場において複数台のかごの予約案内を行う到着順モード、到着予定エレ点灯モード、乗り場呼び応答可能モードを設定可能としたので、利用客が多く、割り当て変更が多発するような状況においても、利用客へ不安感を与えずに、エレベーターの応答を知らせ、利用客を到着するエレベーターへ効率よく誘導する
ことができる。
【図面の簡単な説明】
【０００９】
【図１】本発明による一実施の形態におけるエレベーターホールを示す上面図。
【図２】本発明による一実施の形態における全体構成を示すブロック図。
【図３】本発明による一実施の形態における制御部を示すブロック図。
【図４】一実施の形態における全体フローチャート。
【図５】一実施の形態におけるモード設定のフローチャート。
【図６】一実施の形態における予約案内のフローチャート。
【図７】一実施の形態における到着案内のフローチャート。
【図８】一実施の形態におけるエレベーターの運行状況を示す側面図。
【図９】図８と対応した予約案内（ランタンの点灯）を示す図。
【発明を実施するための形態】
【００１０】
以下、図面を参照して詳細を説明する。  
図１は、現在のエレベーターホール１６の状況を示し、６台の群管理されたエレベーター１５で基準階（建物出入り口階：出入り口１８のある階）のエレベーターホール１６である。利用客が乗り場呼び登録装置５を押したあと、ランタン３を点灯及びチャイム４を鳴らすことにより予約案内を行うが、予約案内の変更が多発するような状況においては、どのエレベーターが到着するのか分からないため、エレベーター１５の前で待つことなく、エレベーターホール入り口からロビー１７にかけて、一列に並んでいる状況を示している。
【００１１】
図２は群管理エレベーター装置の全体構成図、図３は制御部の構成を示している。エレベーター装置は、群管理制御装置１と、各エレベーターに備えられた号機制御装置２と、乗り場に設置されたランタン３と、乗り場に設置されたチャイム４と、乗り場呼び登録装置５と、図示にない昇降路内を上下するかご６と、かご６を上下させるために必要な装置（巻上機）６ａと、外部入力７，かご６の中に設置されているかご内行き先階呼び登録装置８、各々が接続され送受信する通信線１０、を有している。
【００１２】
群管理制御装置１は、乗り場呼び登録装置５からの信号が入力される乗り場呼び登録１ａと、表示用のランタン３、発音装置であるチャイム４、かご内行き先階呼び登録装置８が接続された号機制御装置２と、かご割り当て１ｂと、かご割り当て１ｂと相互に信号の入出力が行われるかご到着順判定１ｃと、予約案内のモードを設定するモード設定と、の各機能を実現する手段（プログラム）を備えている。
【００１３】
群管理制御装置１は各エレベーターの運行にかかわる指令、たとえば、行き先階の指示や、サービスできない階の指示を行う。そのため、乗り場呼び登録装置５を直接、群管理制御装置１に接続しているが、号機制御装置２に接続し、ほかの信号と同様に通信によってやり取りしてもよい。
【００１４】
号機制御装置２は各エレベーターの運転を制御する装置である。乗り場戸９の開閉やエレベーターの出発，到着は本装置が制御するものの、行き先階の指定や、強制的な戸開閉は群管理制御装置１の指令に従う。
【００１５】
図４は、群管理制御装置１の全体フローチャートを示す。  
群管理制御装置１は電源投入、または、リスタートにより起動される。（ステップＥ１０）群管理制御装置１のイニシャル処理として初期処理が実行される。（ステップＥ２０）  
号機制御装置２からの運転制御入力処理に移る。各号機のかごの位置や、運転方向，かご内行き先階呼びなどの登録状況等、群管理エレベーターの制御に必要な信号が入力される。（ステップＥ３０）  
乗り場呼びの登録処理が行われる。（ステップＥ４０）
【００１６】
ステップＥ３０およびステップＥ４０の処理状態により、到着予測演算を行い、かご到着順を判定する。（ステップＥ５０）ステップＥ５０の処理に基づき、登録されている乗り場呼びに応答するエレベーターを割り当てる。（ステップＥ６０）
【００１７】
ランタン点灯モードの設定をする。（ステップＥ７０）ステップＥ７０にて設定した点灯方式で、予約案内を行い、利用客にエレベーターが割り当てられたことを報知する。（ステップＥ８０）
【００１８】
エレベーター動作処理を行い、走行制御や、ドア制御などを行う。（ステップＥ９０）
【００１９】
エレベーターが、乗り場呼びが登録された階に到着する直前に到着案内を行う。（ステップＥ１００）
【００２０】
以上、ステップＥ３０〜Ｅ１００は、電源ダウンかプログラム異常が発生するまで、繰り返し所定の時間間隔で実行される。
【００２１】
以下、ランタン点灯モード設定（ステップＥ７０），予約案内（ステップＥ８０），到着案内（ステップＥ１００）について詳しく説明する。図５は、図４のランタン点灯モード設定（ステップＥ７０）のフローチャートである。
【００２２】
ステップＥ７０ａにてスタートする。  
ステップＥ７０ｂ〜Ｅ７０ｄにて、ユーザー設定を判断する。本フローチャートでは合計４つの設定を示しているが、ランタン点灯方法や、設定個数はこれに限るものでなく、たとえば全台点灯させる設定や、登録された乗り場呼びの方向と当該階に向かうエレベーターの方向が一致するものに点灯させる設定でも良い。
【００２３】
到着順にランタンを点灯させるかどうかを判断する。（ステップＥ７０ｂ）設定がされていれば、ステップＥ７０ｅ、設定されていなければ、ステップＥ７０ｊに進む。
【００２４】
ステップＥ７０ｅにて到着順にランタンを点灯させるランタン点灯方式とし、ステップＥ７０ｆにて台数を設定する。この台数はユーザー設定時にセットする、あるいはエレベーターの運行状況に応じて、エレベーター（かご）の運行台数が多ければ、点灯台数を多くするように可変させることが利用客にとって待たせることがなく、より安心感を与えることができる。本例では、ステップＥ７０ｆにて３台と設定した。ステップＥ７０ｆが終わるとステップＥ７０ｊに進む。
【００２５】
乗り場呼び登録階に向かっている号機に点灯させるかどうかを判断（ステップＥ７０ｃ）し、設定がされていれば、ステップＥ７０ｇ、設定されていなければ、ステップＥ７０ｄに進む。
【００２６】
到着予定のエレベーターを点灯する到着エレ点灯モードにランタン点灯方式を設定（ステップＥ７０ｇ）し、ステップＥ７０ｊで終了する。
【００２７】
ステップＥ７０ｄにて乗り場呼びに応答可能なエレベーターにランタンを点灯させるかどうかを判断する。もし、設定がされていれば、ステップＥ７０ｈに進む。一方、設定されていなければ、ステップＥ７０ｉに進む。
【００２８】
ステップＥ７０ｈにて乗り場呼び応答可能モード（自動運転中：点灯，保守点検中：消灯）に設定する。
【００２９】
ステップＥ７０ｉでは標準の設定をする。つまり最先着の一台のみ点灯させる設定であり、複数のランタンを点灯するモードではない。設定終了後、ステップＥ７０ｊに進み、ステップＥ７０ｊで本プロセスを終了する。本フローチャートの設定は、データをセット、スケジュール機能，スイッチを含む接点などの何らかのデータでない入力、により、設定を変更できるようにする。
【００３０】
図６は、図４の予約案内（ステップＥ８０）のフローチャートであり、ステップＥ８０ａにてスタートする。
【００３１】
ステップＥ８０ｂにて、ステップＥ７０で設定したランタン点灯モードに従い、ランタン点灯エレベーターを決定する。ステップＥ８０ｃにて、予約案内対象であるかどうかをエレベーターごとに判断する。対象であればステップＥ８０ｄ、対象外であればステップＥ８０ｅに進む。
【００３２】
ステップＥ８０ｄにて、ランタンを点灯させ、ステップＥ８０ｅで本プロセスを終了する。
【００３３】
図７は、図４の予約案内における到着案内（ステップＥ１００）のフローチャートであり、ステップＥ１００ａにてスタートする。ステップＥ１００ｂにて、到着エレベーターかどうかを判断する。到着エレベーターであれば、Ｅ１００ｃ、そうでないエレベーターであればステップＥ１００ｅに進む。
【００３４】
ステップＥ１００ｃにて、ランタンをフリッカー点灯させ、ステップＥ１００ｄにてチャイムを鳴動させる。ステップＥ１００ｃおよびＥ１００ｄの動作が到着案内となる。ステップＥ１００ｄを実行後、ステップＥ１００ｅに進み、終了する。
【００３５】
以下、図８及び図９にてステップＥ７０の設定により、どのエレベーターがランタンを点灯させるのか説明する。図８は、ランタンを点灯するエレベーターを説明するためのエレベーターかごの配置図であり、運行状況を示している。６号機は保守点検中で、乗り場呼びに応答できないエレベーターとした。図中、１Ｆ（乗り場呼びが登録された階）において、上方向の乗り場呼びが登録されている。１号機は地下１階（Ｂ１）から１Ｆへ自動運転で移動中、２号機は１ＦからＢ１Ｆへ、３号機は途中階から１Ｆへ、４号機は途中階から最上階１０Ｆへ、５号機は途中階７Ｆヘ、エレベーターシャフト２０内を移動中である。矢印２１はエレベーターの動く方向を示す。
【００３６】
図９は図４のフローチャートで選択されたモードで、図８のエレベーター配置のときに、ランタンを点灯させる号機を表す図である。点灯しているランタンは黒く表示している。
【００３７】
図４のフローチャートで到着順モードが設定され、点灯台数が３台に設定された場合、登録された乗り場呼びに応答する到着順を判定し、到着順位の高いものから３台選定して、図９（ａ）のように１号機と２号機と３号機のランタンが点灯する。
【００３８】
図４のフローチャートで乗り場呼びが登録された階へ向かっている号機に点灯させるモードが設定された場合、乗り場呼びが登録された階に向かって移動しているエレベーター号機、図９（ｂ）に示すように１号機と３号機が点灯する。
【００３９】
図４のフローチャートで乗り場呼び応答可能モードが設定された場合、乗り場呼びに応答できる全てのエレベーター（かご）、つまり図９（ｃ）のように保守中の６号機以外、通常は複数台となるエレベーターのランタンを点灯させ、６号機は消灯する。
【００４０】
以上の場合、いずれも乗り場に複数台のかごの予約案内を行うので、利用客が多い状況においても、エレベーターの応答を知ることができ、利用客を到着するエレベーターへ効率よく誘導することができる。
【００４１】
図４のフローチャートで上記３つのモードが選択されなかった場合、標準の設定となり、図９（ｄ）のように、到着予定、最先着の一台のエレベーターである１号機のランタンのみを点灯させる。
【００４２】
予約案内を行うエレベーターのランタンを点灯としたが、予約案内後にその時点での最先着のエレベーターをフリッカー点灯させることや、到着順に明るさを変更したり、発光色を変更したり、して案内すればより分かり易くなり、利用客を効率よく誘導することができる。
【００４３】
また、複数台のかごの予約案内としてランタンの点灯を複数行い、標準の設定と同様に到着予定、最先着の一台のエレベーターかごのチャイム４を鳴動させるなど上記の予約案内を組み合わせることでより効果的なものとすることが可能となる。
【符号の説明】
【００４４】
１  群管理制御装置
１ａ  乗り場呼び登録
１ｂ  かご割り当て
１ｃ  かご到着順判定
１ｄ  モード設定
２  号機制御装置
３  ランタン
４  チャイム
５  乗り場呼び登録装置
６  かご
６ａ  巻上機
７  外部入力
８  かご内行き先階呼び登録装置
９  乗り場戸
１５  エレベーター
１６  エレベーターホール
１７  ロビー
１８  出入り口
１９  利用客
【図１】
0005433606.tif 000002
【図２】
0005433606.tif 000003
【図３】
0005433606.tif 000004
【図４】
0005433606.tif 000005
【図５】
0005433606.tif 000006
【図６】
0005433606.tif 000007
【図７】
0005433606.tif 000008
【図８】
0005433606.tif 000009
【図９】
0005433606.tif 000010